(57)【要約】  【課題】電源電圧波形のゼロ点で発生するパルス入力がノイズ等で異常な入力になった時に、異常と判断し電源周波数に応じた信号を出力する制御負荷の制御が異常になるのを防ぐことを目的とする。  【解決手段】電源電圧波形がゼロ点を通過する毎にパルス信号を発生させるゼロクロスパルス発生手段１とゼロクロスパルス信号入力を判定するゼロクロスパルス判定手段２と電源電圧波形のゼロ点に同期した交流負荷の出力を制御する制御手段３を備え、ゼロクロスパルス信号入力の間隔が所定時間内でないと異常と判定することによりゼロクロスパルス信号入力がノイズ等で異常な入力になった時に誤判定を防止し、電源電圧波形のゼロ点に同期した交流負荷の制御が異常になるのを防ぐことができる。【選択図】図１
2007178079.tif 000002
【特許請求の範囲】
【請求項１】
電源電圧波形がゼロ点を通過する毎にパルス信号を発生させるゼロクロスパルス発生手段とゼロクロスパルス信号入力を判定するゼロクロスパルス判定手段と電源電圧波形のゼロ点に同期した交流負荷の出力を制御する制御手段を備え、ゼロクロスパルス信号入力の間隔が所定時間内でないと異常と判定する冷蔵庫の制御装置。
【請求項２】
電源電圧波形のゼロ点に同期した交流負荷の出力を開始する時に、ゼロクロスパルス信号入力の間隔が所定時間内であることを所定回数判定してから電源電圧のゼロ点に同期した交流負荷の制御を行う制御手段を備えた請求項１に記載の冷蔵庫の制御装置。
【請求項３】
ゼロクロスパルス信号入力の間隔が所定時間外の時は電源電圧のゼロ点に同期した交流負荷の制御を停止する制御手段を備えた請求項１または２に記載の冷蔵庫の制御装置。
【請求項４】
ゼロクロスパルス信号入力の間隔が所定時間外の時は異常と判断し全負荷を停止して知らせる制御手段を備えた請求項１から３のいずれか一項に記載の冷蔵庫の制御装置。
【請求項５】
表示手段を備え、ゼロクロスパルス信号入力の間隔が所定時間外の時は異常と判断し表示する請求項１から４のいずれか一項に記載の冷蔵庫の制御装置。
【発明の詳細な説明】
【技術分野】
【０００１】
本発明は、電源電圧波形のゼロ点を検知しゼロ点に同期した交流負荷を制御する制御装置を備えた冷蔵庫に関するものである。
【背景技術】
【０００２】
従来、この種の制御装置としては、電源周波数を検知し位相制御によりファンの回転数速度を制御するものがある（例えば、特許文献１参照）。
【０００３】
以下、図面を参照しながら上記従来の冷蔵庫の制御装置を説明する。
【０００４】
図４は、従来の冷蔵庫の制御装置のブロック図を示している。図４に示すように従来の制御装置ではサーミスタ１０１の出力に基づいて圧縮機１０２を運転、停止させ、ファン回転速度決定手段１０３により回転速度を決定し、電源１０４の波形を入力して電源電圧波形のゼロ点で発生するパルスをカウントし規定数に達した時の時間ＴｐによりＴｐ≦９ｍｓｅｃ×カウント数で６０Ｈｚ、Ｔｐ＞９ｍｓｅｃ×カウント数で５０Ｈｚと判定し、電源周波数を決定する電源周波数決定手段１０５により電源周波数を検知して位相制御によりファン１０６の回転速度を制御手段１０７で制御するというものであった。
【特許文献１】特開平５−３０２７７５号公報
【発明の開示】
【発明が解決しようとする課題】
【０００５】
しかしながら、上記従来の構成では、電源周波数判定時に電源波形のゼロ点で発生するパルス信号がノイズ等で異常な信号になった時に誤判定してしまい、電源周波数に応じた信号を出力する制御負荷の制御が正常にならないという課題を有していた。
【０００６】
本発明は従来の課題を解決するもので、電源電圧波形のゼロ点で発生するパルス信号がノイズ等で異常な信号になった時に、異常と判断し電源周波数に応じた信号を出力する制御負荷の制御が異常になるのを防ぐ冷蔵庫の制御装置を提供することを目的とする。
【課題を解決するための手段】
【０００７】
上記従来の課題を解決するために、本発明は、電源電圧波形がゼロ点を通過する毎にパルス信号を発生させるゼロクロスパルス発生手段とゼロクロスパルス信号入力を判定するゼロクロスパルス判定手段を備え、ゼロクロスパルス信号入力の間隔が所定時間内の時に電源電圧のゼロ点に同期した交流負荷の制御を行い、所定時間内でないと異常と判定し、交流負荷の制御を停止し、表示手段により表示するように構成したものである。
【発明の効果】
【０００８】
本発明は、電源電圧波形がゼロ点を通過する毎に発生するゼロクロスパルス信号入力の間隔が所定時間内でないと異常と判定することによりゼロクロスパルス信号入力がノイズ等で異常な入力になった時に誤判定を防止し、電源電圧波形のゼロ点に同期した交流負荷の制御が異常になるのを防ぐことができる。
【発明を実施するための最良の形態】
【０００９】
請求項１に記載の発明は、電源電圧波形がゼロ点を通過する毎にパルス信号を発生させるゼロクロスパルス発生手段とゼロクロスパルス信号入力を判定するゼロクロスパルス判定手段と電源電圧波形のゼロ点に同期した交流負荷の出力を制御する制御手段を備え、ゼロクロスパルス信号入力の間隔が所定時間内でないと異常と判定することによりゼロクロスパルス信号入力がノイズ等で異常な入力になった時に誤判定を防止できる。
【００１０】
請求項２に記載の発明は、請求項１に記載の発明において、電源電圧波形のゼロ点に同期した交流負荷の出力を開始する時に、ゼロクロスパルス信号入力の間隔が所定時間内であることを所定回数判定してから電源電圧のゼロ点に同期した交流負荷の制御を行うことで、正確に負荷を制御することができる。
【００１１】
請求項３に記載の発明は、請求項１または２に記載の発明において、ゼロクロスパルス信号入力の間隔が所定時間外の時は電源電圧のゼロ点に同期した交流負荷の制御を停止し、誤動作を防止できる。
【００１２】
請求項４に記載の発明は、請求項１から３のいずれか一項に記載の発明において、ゼロクロスパルス信号入力の間隔が所定時間外の時は異常と判断し全負荷を停止して表示手段がない場合でも知らせることができる。
【００１３】
請求項５に記載の発明は、請求項１から４のいずれか一項に記載の発明において、表示手段を備え、ゼロクロスパルス信号入力の間隔が所定時間外の時は異常と判断し表示することができる。
【００１４】
以下本発明の実施の形態について、図面を参照しながら説明する。なお、従来と同一構成については同一符号を付して詳細な説明を省略する。
【００１５】
（実施の形態１）
図１は、本発明の実施の形態１における冷蔵庫の制御装置のブロック図であり、図２は、同実施の形態の冷蔵庫の制御装置の動作説明用波形図であり、図３は、同実施の形態の冷蔵庫の制御装置の動作を示すフローチャートである。以下図１、図２、図３を参照しながら説明する。
【００１６】
図１において、ゼロクロスパルス発生手段１は、図２の（ａ）で示す交流電源１０４の電圧波形を入力して図２の（ｂ）で示す矩形波状の交流同期のゼロクロスパルス信号を発生させるものである。ゼロクロスパルス判定手段２は、ゼロクロスパルス信号の間隔Ｔｐｈを測定し、ゼロクロスパルス信号入力の間隔Ｔｐｈが所定時間内でないと異常と判定するものである。制御手段３は、サーミスタ４による各庫内温度検出値に基づいて制御負荷５（庫内ファン、圧縮機、庫内温度補償用ヒータ、冷媒切替えバルブ等）の出力設定を制御するものである。
【００１７】
また制御手段３は、制御負荷５の内、電源電圧波形のゼロ点に同期した交流負荷の出力信号（以下、負荷出力信号という）をゼロクロスパルス判定手段２で検知した電源電圧波形のゼロクロス点と同期させて、駆動手段６に出力し、ゼロクロスパルス信号入力の間隔が異常と判定した時に電源電圧のゼロ点に同期した交流負荷の制御を停止するものである。駆動手段６は、負荷出力信号に基づいて制御負荷５に駆動電圧を供給するものである。負荷出力設定と負荷出力信号と負荷駆動電圧波形（制御負荷に供給される駆動電圧の波形）の一例を図２の（ｃ）、（ｄ）、（ｅ）に示す。表示手段７は、ゼロクロスパルス信号入力の間隔が異常と判定した時に表示するものである。
【００１８】
以上のように構成された冷蔵庫の制御装置において、図３を参照しながら動作説明を行う。まず、ステップ１００でゼロクロスパルス判定手段２はゼロクロスパルス信号入力の間隔Ｔｐｈを測定するためのゼロクロス入力判定タイマをスタートさせる。次にステップ１０１で電源電圧のゼロ点であるゼロクロスパルス信号入力の立上りエッジまたは立下りエッジを検出する。ここでは図２（ｂ）に示すように、立上りエッジから次の立上りエッジの時間Ｔｐｈを測定する場合を説明する。ステップ１０１で立上りエッジを検出した場合はステップ１０２でゼロクロス入力判定タイマ値を読込む。次にステップ１０３で、今回の読込みタイマ値から前回の読込みタイマ値を減算した値からゼロクロスパルス信号入力間隔Ｔｐｈを測定する。次にステップ１０４でゼロクロスパルス信号入力間隔Ｔｐｈが所定の範囲内かを判定する。例えば判定範囲を電源周波数±３Ｈｚとした時、６０Ｈｚの場合は１５．８７ｍｓｅｃ〜１７．５４ｍｓｅｃの範囲内にあるか、５０Ｈｚの場合は１８．８７ｍｓ〜２１．２８ｍｓｅｃの範囲内にあるかを判定する。ステップ１０４でゼロクロスパルス信号入力間隔Ｔｐｈが判定範囲内の場合は正常、判定範囲外の場合は異常と判定する。
【００１９】
以上のように、電源電圧波形のゼロ点に同期した交流負荷の出力を制御する制御装置を備えた冷蔵庫において、ゼロクロスパルス信号入力の間隔が所定時間内でないと異常と判定することによりゼロクロスパルス信号入力がノイズ等で異常な入力になった時に誤判定を防止できる。
【００２０】
また、ステップ１０４でゼロクロスパルス判定手段２はゼロクロスパルス信号入力間隔が所定の範囲内かを判定し、正常ならばステップ２００で入力が正常時の回数をカウントする。
【００２１】
またステップ１０４でゼロクロスパルス信号入力間隔が所定の範囲外の時、ステップ２０３で入力正常回数をクリアする。
【００２２】
次にステップ２０１で入力が正常時の回数が所定回数であるかを確認し、所定回数以上なら、ステップ２０２で制御手段３は、制御負荷５の内、電源電圧波形のゼロ点に同期した負荷出力信号をゼロクロスパルス判定手段２で検知した電源電圧波形のゼロクロス点と同期させて、駆動手段６に出力する。例えば正常判定回数が２回で、電源電圧波形のゼロ点に同期した負荷の駆動電圧波形が図２の（ｅ）に示す出力の場合は、図２（ｃ）に示すように制御手段３は負荷出力設定をＯＮに設定してからゼロクロスパルス信号入力間隔が２回連続した場合、図２（ｄ）に示すように負荷出力信号を駆動手段６に出力し駆動手段６は制御負荷５に図２（ｅ）に示すような負荷駆動電圧波形の電圧を印加する。
【００２３】
以上のように、ゼロクロスパルス信号入力の間隔が所定時間内であることを所定回数判定してから電源電圧のゼロ点に同期した交流負荷の制御を行うことで、正確に負荷を制御することができる。
【００２４】
またステップ１０４でゼロクロスパルス信号入力間隔が所定の範囲外の時、異常と判定しステップ３００で電源電圧のゼロ点に同期した交流負荷の制御を停止するように設定し、ゼロクロスパルス信号入力がノイズ等で異常な入力になった時に誤動作を防止できる。
【００２５】
またステップ１０４でゼロクロスパルス信号入力間隔が所定の範囲外の時、異常と判定しステップ４００で全制御負荷を停止させることにより表示手段がない場合でも知らせることができる。
【００２６】
またステップ１０４でゼロクロスパルス信号入力間隔が所定の範囲外の時、異常と判定し、ステップ５００で電源電圧異常表示設定を行い、ステップ５０１で表示手段７により表示し知らせることができる。
【産業上の利用可能性】
【００２７】
以上のように本発明にかかる冷蔵庫の制御装置は、ゼロクロスパルス信号入力の間隔が所定時間内でないと異常と判定することによりゼロクロスパルス信号入力がノイズ等で異常な入力になった時等に誤判定を防止することができるので、電源電圧波形のゼロ点を検知しゼロ点に同期した交流負荷を制御する制御機器全般に適用できる。
【図面の簡単な説明】
【００２８】
【図１】本発明の実施の形態１における冷蔵庫の制御装置のブロック図
【図２】本発明の実施の形態１における冷蔵庫の制御装置の動作説明用波形図
【図３】本発明の実施の形態１における冷蔵庫の制御装置のフローチャート
【図４】従来の冷蔵庫の制御装置のブロック図
【符号の説明】
【００２９】
１  ゼロクロスパルス発生手段
２  ゼロクロスパルス判定手段
３  制御手段
７  表示手段
【図１】
2007178079.tif 000003
【図２】
2007178079.tif 000004
【図３】
2007178079.tif 000005
【図４】
2007178079.tif 000006